(57)【要約】  液体のための搬送手段（１２０）と、少なくとも１つのセンサと、センサに少なくとも通信可能に接続され、光学的に自由にアクセス可能であり、液体との時間測定装置（１００）の接触持続時間または接触持続時間から導出されたメタ情報のアイテムを表示するように意図された少なくとも１つの表示手段とを有する時間測定装置（１００）に関する。搬送手段（１２０）は、入口領域（１２４）を通して時間測定装置（１００）の周囲から液体を受け取るための少なくとも１つのリザーバ領域（１２１）と、液体を検出するための少なくとも１つの検出領域（１２２）と、リザーバ領域（１２１）から検出領域（１２２）へ液体を規定された移送持続時間で移送するための多数のチャネル（１２５）を有する少なくとも１つの時間領域（１２３）とを含む。センサは、リザーバ領域（１２１）から離れた時間領域（１２３）の端部で検出領域（１２２）内の液体を検出するように設計されている。搬送手段（１２０）は液体を輸送するための内側領域（１２６）と撥水性外側領域（１４０）とを有する複合系を含み、外側領域（１４０）は搬送手段（１２０）の前面（１３０）において、前面（１３０）に対向する搬送手段（１２０）の後面（１３１）において、搬送手段（１２０）の右側縁部（１３２）において、右側縁部（１３２）に対向する搬送手段（１２０）の左側縁部（１３３）において、それぞれ、少なくとも液体に浸漬するための下縁部（１３５）に隣接する一部分において、内側領域（１２６）を囲み、内側領域（１２６）は少なくとも部分的に、下縁部（１３５）において、および下縁部（１３５）に対向する搬送手段（１２０）の上縁部（１３４）において、自由にアクセス可能である。【選択図】        図１
2021519921.tif 000002
【特許請求の範囲】
【請求項１】
帯状の液体用の搬送手段（１２０）と、少なくとも１つのセンサと、前記センサと少なくとも通信可能に接続されて、液体との時間測定装置（１００）の接触持続時間または前記接触持続時間から導出されるメタ情報のアイテムを表示する少なくとも１つの表示手段とを有する時間測定装置（１００）であって、前記搬送手段（１２０）は、
ａ）前記時間測定装置（１００）の周囲から、前記搬送手段の下縁部（１３５）に配置された入口面（１２４）を通して液体を取り出すための少なくとも１つのリザーバ領域（１２１）と、
ｂ）液体を検出するための少なくとも１つの検出領域（１２２）と、
ｃ）前記リザーバ領域（１２１）から前記検出領域（１２２）への規定された移送持続時間で液体を搬送するための多数のチャネル（１２５）を有する少なくとも１つの時間領域（１２３）と、を有し、
前記センサは、前記リザーバ領域（１２１）から離れた前記時間領域（１２３）の端部で前記検出領域（１２２）内の液体を検出するように設計され、
ｄ）前記搬送手段（１２０）は、液体を搬送するための内側領域（１２６）と、撥水性外側領域（１４０）とを有する複合系を含み、
ｅ）前記外側領域（１４０）は、前記搬送手段（１２０）の前面（１３０）、前記前面（１３０）に対向する前記搬送手段（１２０）の後面（１３１）、前記搬送手段（１２０）の右側縁部（１３２）、および前記右側縁部（１３２）に対向する左側縁部（１３３）のそれぞれにおいて、少なくとも液浸のための下縁部（１３５）に隣接する部分において、前記内側領域（１２６）を囲み、
ｇ）前記内側領域（１２６）は少なくとも部分的に、前記下縁部（１３５）および前記下縁部（１３５）に対向する前記搬送手段の上縁部（１３４）において自由にアクセス可能であることを特徴とする時間測定装置（１００）。
【請求項２】
前記リザーバ領域（１２１）から前記時間領域（１２２）への液体の流れを制限するための少なくとも１つの抵抗要素（１６０）であって、前記抵抗要素（１６０）は、前記リザーバ領域（１２１）及び／又は前記時間領域（１２３）と比較して、
ａ）液体の通過のための減少した断面積を含み、
ｂ）液体の伝導性が低減された材料を含み、および／または
ｃ）材料密度が増加することを特徴とする請求項１に記載の時間測定装置（１００）。
【請求項３】
前記搬送手段（１２０）の前記内側領域（１２６）は、
ａ）前記センサ及び前記表示手段を形成し、
ｂ）液体との接触によって変化する半透明性を有し、好ましくは乾燥状態では不透明であり、湿潤状態では半透明であり、
ｃ）液体のための少なくとも１つの吸収材料、好ましくは紙および／または不織布からなることを特徴とする請求項１または２に記載の時間測定装置（１００）。
【請求項４】
前記外側領域（１４０）は、
ａ）少なくとも１つの撥水性支持体（１４３）、好ましくは、前記搬送手段（１２０）を補強するための、熱可塑性合成材料でコーティングされた厚紙を含み、および／または
ｂ）少なくとも部分的に透明であり、好ましくは熱可塑性合成材料から作製された撥水性フィルム（１４４）を含むことを特徴とする請求項１〜３のいずれか１項に記載の時間測定装置（１００）。
【請求項５】
前記リザーバ領域（１２０）への水分の浸透に対して前記入口面（１２４）を一時的に閉鎖するための少なくとも１つの閉鎖デバイスであって、前記閉鎖デバイスは液体に可溶であり、好ましくは最低温度よりも高い温度でのみ可溶であることを特徴とする請求項１〜４のいずれか１項に記載の時間測定装置（１００）。
【請求項６】
ａ）前記搬送手段（１２０）の前記後面（１３１）は、前記支持体（１４３）によって形成され、
ｂ）前記搬送手段（１２０）の前記前面（１３０）は、前記フィルム（１４４）によって形成され、
ｃ）前記搬送手段（１２０）の前記内側領域（１２６）は、前記支持体（１４３）と前記フィルム（１４４）との間に配置され、
ｄ）前記支持体（１４３）および前記フィルム（１４４）は、それぞれ、前記搬送手段（１２０）の側縁部（１３２、１３３）の前記内側領域の上に突出部分（１４５）を形成し、
ｅ）少なくとも前記支持体（１４３）および前記フィルム（１４４）は、少なくとも前記側縁部（１３２、１３３）において、互いに材料結合を形成するように接続され、
ｆ）好ましくは、前記内側領域（１２６）と前記支持体（１４３）が少なくとも部分的に、材料結合を形成するように互いに接続されることを特徴とする請求項４に記載の時間測定装置（１００）。
【請求項７】
ａ）前記表示手段は、マーキング（３００）、好ましくは着色マーキングを含み、
ｂ）前記マーキング（３００）は、前記内側領域（１２６）の前記後面（１３１）に面する側の前記内側領域（１２６）及び／又は前記外側領域（１４０）に塗布され、
ｃ）前記マーキング（３００）が前記内側領域（１２６）の湿潤状態で前記前面（１３０）から前記内側領域（１２６）を通って見えるようになっており、
ｄ）前記マーキング（３００）は、好ましくは前記内側領域（１２６）から、撥水材料によって、特に好ましくは撥水性フィルム（１４４）によって、および／または支持体（１４３）の撥水性コーティングによって分離されることを特徴とする請求項１〜６のいずれかに記載の時間測定装置（１００）。
【請求項８】
特にピラミッド状のティーバッグ（４２０）を大量生産するための濾紙ウェブ（４１９）であって、
ａ）請求項１〜７のいずれかに記載の時間測定装置（１００）は、ティーバッグ（４２０）毎に前記濾紙ウェブ（４１９）に固定され、
ｂ）前記時間測定装置（１００）の前記搬送手段（１２０）の前記後面（１３１）は、少なくとも１つの下側固定具（４１８）によって前記搬送手段（１２０）の前記下縁部（１３５）付近で前記濾紙ウェブ（４１９）に固定されることを特徴とする濾紙ウェブ（４１９）。
【請求項９】
ａ）前記時間測定装置（１００）の前記搬送手段（１２０）の前記後面（１３１）は、前記搬送手段（１２０）の前記上縁部（１３４）付近で少なくとも１つの上側固定具（４１７）によって前記濾紙ウェブ（４１９）に固定され、
ｂ）前記ティーバッグ（４２０）を製造するための前記濾紙ウェブ（４１９）は、前記濾紙ウェブ（４１９）の中央折り畳み領域（４１５）において前記濾紙ウェブ（４１９）の長軸の周りに折り畳むことができ、前記時間測定装置（１００）の前記搬送手段（１２０）は、前記濾紙ウェブ（４１９）に対して横方向に配置され、前記搬送手段（１２０）の前記下縁部（１３５）と前記中央折り畳み領域（４１５）との間の中央固定具（４１６）の手段によって前記濾紙ウェブ（４１９）に固定されることを特徴とする請求項８に記載の濾紙ウェブ（４１９）。
【請求項１０】
請求項１〜７のいずれかに記載の時間測定装置（１００）がティーバッグ（４２０）に固定され、前記時間測定装置（１００）の前記搬送手段（１２０）の前記後面（１３１）が、少なくとも前記搬送手段（１２０）の前記下縁部（１３５）付近の下側固定具によって前記ティーバッグ（４２０）に固定されていることを特徴とする、特にピラミッド状のティーバッグ（４２０）を備えた時間測定システム（４００）。
【請求項１１】
ａ）接触開始時に、前記時間測定装置（１００）の前記搬送媒体（１２０）の前記リザーバ領域（１２１）の前記入口面（１２４）を液体に接触させ、
ｂ）前記搬送媒体（１２０）の前記時間領域（１２３）を通って移送持続時間内に前記搬送媒体（１２０）の前記検出領域（１２２）に液体を搬送し、
ｃ）前記接触開始時と相関する検出時に前記検出領域（１２２）内の液体を検出し、
ｄ）前記接触持続時間または前記接触時間から派生したメタ情報のアイテムを表示する、請求項１〜７のいずれかに記載の時間測定装置（１００）による時間測定方法。
【請求項１２】
前記検出することは、液体によって引き起こされる前記時間測定装置（１００）の前記搬送手段（１２０）の前記内側領域（１２６）の透光性の変化の光学的、好ましくは視覚的な検出を含むことを特徴とする請求項１１に記載の時間測定方法。
【請求項１３】
前記接触させることは、液体による前記リザーバ領域（１２０）への湿気の浸透に対して前記入口面（１２４）の一時的な閉鎖のための閉鎖デバイスの開放を含むことを特徴とする、請求項１１または１２に記載の時間測定方法。
【請求項１４】
ａ）液体を搬送するための内側領域（１２６）のためのブランク（１２７）の準備（６１０）と、
ｂ）少なくとも前記ブランク（１２７）の前面（１３０）および前記前面（１３０）の反対側の後面（１３１）上への撥水性外側領域（１４０）の各々の一部分（１４２）の塗布と、
ｃ）前記一部分（１４２）は、前記ブランク（１２７）の右側縁部（１３２）とそれぞれ前記右側縁部（１３２）の反対側にある前記ブランク（１２７）の左側縁部（１３３）において前記ブランク（１２７）上に突出部分（１４５）を形成し、
ｄ）前記一部分（１４２）を互いに撥水接続するために、少なくとも前記突出部分（１４５）の圧縮（６３０）と、が行われることを特徴とする請求項１〜７のいずれかに記載の時間測定装置（１００）の製造方法（６００）。
【請求項１５】
前記圧縮（６３０）は、
ａ）溶接、好ましくは超音波溶接、および／または
ｂ）前記一部分（１４２）を互いに、好ましくは前記ブランク（１２７）を有する少なくとも１つの一部分（１４２）のラミネーション、好ましくはホットラミネーションを含むことを特徴とする請求項１４に記載の製造方法（６００）。
【発明の詳細な説明】
【技術分野】
【０００１】
本発明は、液体のための搬送手段と、少なくとも１つのセンサと、センサに少なくとも通信可能に接続され、液体との時間測定装置の接触持続時間、または接触持続時間から導出されたメタ情報アイテムを表示するように意図された少なくとも１つの表示手段とを有する時間測定装置に関する。搬送手段は、入口領域を通して時間測定装置の周囲から液体を受け取るための少なくとも１つのリザーバ領域と、液体を検出するための少なくとも１つの検出領域と、規定された移送持続時間でリザーバ領域から検出領域に液体を移送するためのいくつかのチャネルを有する少なくとも１つの時間領域とを備える。このセンサは、リザーバ領域から遠く離れた時間領域の端部で検出領域内の液体を検出するように設計されている。
【０００２】
また、本発明は、時間測定装置を用いた時間測定方法および時間測定装置の製造方法に関する。
【背景技術】
【０００３】
茶を調製することは、茶葉または他の植物成分が水から除去される前に、新たに抽出された茶が浸ることができる時間に決定的に依存する。通常、この時間は、これまで、時計、特にタイマーを用いて測定されてきた。一方では、これに伴う欠点は、茶を調製する間に時計が常に利用可能であるとは限らないことである。一方、ユーザは、選択された茶が急勾配である必要がある理想的な時間を知らなければならない。さらに、これは、例えば、時計が茶を注入してから一定の時間が経過した後に始動されたので、時計によって測定された時間が必ずしも茶の浸漬時間と同期していないという問題を引き起こす。
【０００４】
実用新案ＤＥ２０２０１４００９０７８Ｕ１はティードリンクのバッグベースの単一部分調製のための茶調製装置を記載し、ここで、茶は、ティーバッグの延長部および食品着色層を通って変色可能な不織布に送られる。これにより、不織布はティーバッグによって時間の経過と共にますます変色し、これにより浸漬時間を得ることができる。茶調製装置の欠点は茶が比較的制御されない方法でティーバッグを通って入り、いくつかの方向変化を伴って移動し、その結果、茶の不織布への再現性の低い輸送時間をもたらすことである。
【０００５】
開示文献ＤＥ１０１５１３５６Ａ１には、時間を測定するための、特に茶調製のための装置および方法が記載されている。再び、この場合、茶はティーバッグを通って搬送手段、例えば吸い取り紙に引き込まれる。吸い取り紙では、茶は吸い取り紙の飽和によって見えるようになる吸い取り紙の後部の着色マーキングに、いくつかのねじれた経路を介して供給される。再び、これは、茶が比較的制御されない方法でティーバッグを通って入り、いくつかの方向変化を伴って移動され、その結果、茶の色付きマーキングへの再現性の低い輸送時間をもたらすという欠点を引き起こす。
【０００６】
特許出願ＤＥ１０２０１５１０８９２１Ａ１は気密材料でコーティングされた吸収性材料の帯を有する時間測定装置を開示しており、コーティングは下半分に穴を有し、染料が帯上に塗布される。帯が茶の中に置かれる場合、茶は孔を通して帯によって吸引され、茶は毛管力によって帯の中に移動する。同時に、それはその経路上で、例えば、穴の近傍に適用された染料を取り込むか、またはそれは所与の点で予め適用されたｐＨ指示染料の色を変化させるかのいずれかである。いずれにせよ、ユーザは、染料を用いて茶の上昇、ひいては浸漬時間を理解することができる。しかしながら、これは、茶が必ずしも帯に均等にかつ予測可能な量で浸透しないので、時間測定が不正確であるという欠点を有する。
【発明の概要】
【発明が解決しようとする課題】
【０００７】
本発明のための課題は、経済的で単純に組み立てられた時間測定装置と、茶のための浸漬時間を精密かつ信頼性良く測定するための単純な時間測定方法とを作成することである。また、本発明の課題は、時間測定装置を製造するための経済的で信頼性の高い方法を提供することである。
【課題を解決するための手段】
【０００８】
本発明は、請求項１の特徴による技術的課題を解決する時間測定装置を提供する。さらに、この課題は、請求項１１に記載の時間測定方法および請求項１４に記載の製造方法によって解決される。有利な実施形態は、従属請求項の主題である。
【０００９】
本発明による時間測定装置は、液体のための搬送手段と、少なくとも１つのセンサと、センサと少なくとも通信可能に接続され、好ましくは光学的に自由にアクセス可能であり、時間測定装置が液体と接触している間の期間または接触持続時間から導出されたメタ情報のアイテムを表示するための少なくとも１つの表示手段とを備える。例えば、時間測定装置が茶を調製するためのティーバッグと同時に温水と接触させられる場合、茶の浸漬時間は、接触持続時間に等しい。ユーザが表示手段から接触持続時間を読み取ると、このようにして、ユーザは茶の浸漬時間を直接知ることができる。
【００１０】
搬送手段は好ましくは帯状であり、したがって、搬送手段の長軸に沿った長手方向延長部を有し、この長手方向延長部は、長軸に対して直角な搬送手段の横軸に沿った横方向延長部よりも著しく大きい。それぞれ、長手方向延長部および横方向延長部は、長軸および横軸に直角な搬送手段の厚さよりも著しく大きい。帯状の搬送手段は長軸に沿って必要とされる物質が少ないので、正確な時間計測を容易にするために、比較的長い時間範囲を設けることができるという長所を有する。また、長軸と横軸とにまたがる平面において、信頼性のある読取りを容易にするために、比較的大きな面積の表示手段を設けることができる。
【００１１】
また、帯状の搬送手段は、製造及び加工が容易であるという長所を有する。例えば、帯状の多数の搬送手段を製造し、テープとして一緒に加工することができ、そこから搬送手段を製造工程の終わりにのみ切り出すことができる。
【００１２】
特に簡単な実施形態では、帯状の搬送手段は基本的に長方形である。これは、特に、多数の搬送手段を含むテープを、無駄なく個々の搬送手段に切断することができるという長所をもたらす。
【００１３】
メタ情報の派生アイテムは例えば、所定の接触持続時間の到達である。例えば、理想的な浸漬時間または所定の程度の注入、例えば、「ｍｉｌｄ（穏やかな）」、「ｂａｌａｎｃｅｄ（バランスのとれた）」または「ｓｔｒｏｎｇ（強い）」、の到達が示される場合、ユーザ自身がどの浸漬時間が所望の浸漬結果に等しいかを知る必要がないので、茶の調製がさらに容易になり、その結果、誤った操作が回避される。
【００１４】
有利には表示手段が光学的に自由にアクセス可能であり、その結果、表示手段はユーザによって容易かつ明確に読み取ることができる。特に、表示手段は時間測定装置を使用するときに、表示手段から時間測定装置の周囲への光路内に時間測定装置の透明な構成要素が存在しないか又は唯一存在する場合に、光学的に自由にアクセス可能である。このようにして、ユーザは、周囲からの表示手段を妨げられることなく観察することができる。
【００１５】
本発明によって意味されるように、「茶」は、異なる植物の様々な部分から調製される注入飲料を意味する。茶植物の葉および葉芽から主に調製される茶のタイプに加えて、これはまた、特に、ハーブティーおよびフルーツティーを含む。
【００１６】
搬送手段は、ａ）好ましくは搬送手段の下側に配置された入口面の手段によって時間測定装置の周囲からの液体を収容するための少なくとも１つのリザーバ領域と、ｂ）液体を検出するための少なくとも１つの検出領域と、ｃ）リザーバ領域から検出領域に規定の移送持続時間で液体を移送するための１つ、２つ、３つ、またはそれ以上のチャネルを有する少なくとも１つの時間領域とを含む。
【００１７】
リザーバ領域はより多量の液体をここに貯蔵することができるという有利な効果を有し、その結果、時間領域への均等で中断のない液体供給が可能である。入口面は、液体と直接接触するように設計されることが有利である。このようにして、液体と接触する間に、液体はリザーバ領域に直ちに浸透することができ、その結果、接触時間の測定は、明確な開始点から開始することができる。したがって、例えばティーバッグを介して最初に液体が入口面に到達しなければならないので、測定は不正確ではなく、または再現性が不十分ではない。
【００１８】
有利には時間領域が、移送持続時間がリザーバ領域のための充填時間および検出時間よりも著しく長く、その結果、これらは移送持続時間と比較して無視できるように設計される。このようにして、液体が入口面から検出領域まで移動する接触持続時間は基本的に、移送持続時間によって決定され、その結果、時間領域の適切な設計、特に搬送方向におけるその長さによって、液体が、前もって正確に決定された接触持続時間の終わりに検出領域に到達することを確実にすることができる。
【００１９】
このセンサは、リザーバ領域から遠く離れた時間領域の端部で検出領域内の液体を検出するように設計されている。これは、検出が、充填時間、移送持続時間および検出時間の合計に等しく、例えば、茶のための理想的な浸漬時間に設定される接触持続時間の終わりに行われるということを意味する。多数のセンサまたは多数の検知箇所を有する単一のセンサの手段によって、異なった接触持続時間の終わりを、単一の時間測定装置で簡単に検知することができる。
【００２０】
搬送手段は好ましくは液体を輸送するための内側領域と撥水性外側領域とを有する複合系を含み、外側領域は、搬送手段の前面において、前面に対向する搬送手段の後面において、搬送手段の右側縁部において、右側縁部に対向する搬送手段の左側縁部において、少なくとも液体に浸漬するための下縁部に隣接する部分において、内側領域を囲む。
【００２１】
外側領域で内側領域を取り囲むことは、時間を測定するための液体中への搬送手段の浸漬中に、搬送手段の表面または側縁を通って、液体が内側領域に制御されずに進入し、したがって、時間を不正確に測定する可能性があることを防止する。
【００２２】
いずれのケースにおいても、内側領域は、好ましくは表面および側縁において外側領域によって完全に囲まれ、その結果、ユーザが規定されたよりも深く液体中に搬送手段を浸漬したとしても、液体が表面または側縁を通って内側領域に浸透することができない。
【００２３】
内側領域は好ましくは少なくとも部分的に、下縁部で、かつ搬送手段の下縁部に対向する上縁部で、自由にアクセス可能である。特に、内側領域は、下縁部と上縁部で外側領域によって囲まれていない。内側領域は少なくとも下縁部では自由にアクセス可能であるので、液体は制御された方法で、ここに配置された入口面を通って、内側領域を貫通することができる。
【００２４】
内側領域は少なくとも部分的に、上縁部で自由にアクセス可能であるので、内側領域に浸透する液体によって置換される空気は内側領域から逃げることができ、したがって、内側領域への液体の搬送を妨げないことが確実である。
【００２５】
これはまた、上縁部と下縁部とを同一に設計することができるという利点をもたらす。このようにして、搬送手段は特に簡単な方法で、例えば、長軸に沿って互いに背後に配置された多数の搬送手段を有するテープを個々の搬送手段に切断することによって製造することができ、その結果、単一の切断によって、第１の搬送手段の下縁部と、長軸に沿って第１の搬送手段に並置された別の搬送手段の上縁部とが同時に生成される。
【００２６】
一実施形態では、内側領域が例えば、外側領域によって囲まれることによって、撥水様式により上縁部で封止することができる。
【００２７】
時間測定装置は、リザーバ領域から時間領域への液体の流れを制限するための少なくとも１つの抵抗要素を含むことができる。抵抗要素は時間領域内に、したがって時間領域内にも、規定された流れを提供する。このようにして、時間領域内の液体の搬送期間、したがって時間の測定も、特に再現性があり、正確である。
【００２８】
リザーバ領域および／または時間領域と比較して、抵抗要素は液体の通過のための減少した断面を有することができ、および／または、液体のための減少した伝導性および／または増加した材料密度を有する材料を含むことができる。抵抗要素は、命名された実施形態の手段によって、特に簡単な方法で生成される。
【００２９】
搬送手段の内側領域は、特に簡単な実施形態でセンサ及び表示手段を形成することができる。特に、本実施形態では、搬送手段が完全な時間測定装置を構成することができる。このために、内側領域は例えば、液体と接触すると、少なくとも１つの光学特性、例えば、色またはその半透明性を変化させる材料からなることができる。このようにして、ユーザは直接的に、および、例えば、少なくとも１つのマーキング、特にタイムスケールを用いて、搬送手段における液体の漸進的な移送を観察することができ、接触持続時間を読み取ることができる。
【００３０】
好ましくは、搬送手段の内側領域が液体との接点によって変化する半透明性を有し、乾燥状態では不透明であり、湿潤状態では半透明である。不透明とは、後面に面する内側領域の側面に配置されたマーキングが内側領域を通って見えず、したがって、前面から人間の目には事実上見えないことを意味する。しかしながら、湿潤状態では、内側領域は半透明であり、その結果、下にあるマーキングを前面からはっきりと知覚することができる。特に、「不透明」とは内側領域が完全に遮光性であること、または背面照明されたときにマーキングが光らないことを意味するものではなく、「半透明」とは内側領域が完全に透明であることを意味するものではない。反対に、重要なのは、下にあるマーキングが内側領域を通してはっきりと知覚できるかどうかである。
【００３１】
特に、可変透過性を持つ搬送手段は、文献ＤＥ１０１５１３５６Ａ１に記載されている搬送手段と同じように設計することができる。ＤＥ１０１５１３５６Ａ１の対応するパラグラフ［００１３］〜［００１９］は参照によりここに含まれる。
【００３２】
可変の透光性の手段によって、内側領域は、例えば内側領域によって、液体との接触によって濡れた場合に、センサ及び表示手段として特に簡単に作用することができ、所与の接触持続時間を象徴するマーキングの視野を解放する。
【００３３】
内側領域の可変の半透明性を有する実施形態では、ＤＥ１０２０１５１０８９２１Ａ１のように、接触持続時間を示すために、染料が液体によって搬送される必要はない。搬送可能な染料を使用しないことにより、特に搬送手段の上縁部で自由にアクセス可能な内側領域を有することにより、染料による搬送手段外の液体の汚染の危険性が排除される。これは、液体が食品、例えば茶である場合に特に有利である。
【００３４】
加えて、液体による染料の搬送速度は困難を伴ってのみ予測することができ、時間の不正確な測定をもたらされ得る。さらに、染料は搬送手段内での搬送中に汚れることがあり、その結果、時間測定装置は、ユーザにとって明白に読み取り可能ではない。
【００３５】
搬送手段は、帯の形態であっても、糸の形態であってもよい。このようにして、搬送手段は、簡単な方法でティーバッグ、特に当技術分野で通常のティーバッグに取り付けることができる。特に、搬送手段はティーバッグの糸に取って代わることができる。例えば、防水層で覆うことができる糸の形態の搬送手段を使用することによって、帯状の搬送手段の場合と比較して、材料費が明らかに低減される。糸が機械でより容易に加工され得るので、さらなる利点が、製造において現れる。特に、個別に挿入されなければならず、取り扱いコストが増大する紙帯と比較して、より低い材料コストおよび取扱いコストは、明らかなコスト削減をもたらす。
【００３６】
搬送手段の内側領域は、液体のための少なくとも１つの吸収材からなることができる。このようにして、液体は毛管力によって、特に駆動、例えばポンプのさらなる手段なしに、搬送手段内で入口面から検出領域まで搬送されることができる。搬送手段は、少なくとも１つの用紙および／または少なくとも１つの不織布からなることができる。紙、例えば、バイオテクノロジーに精通しているブロッティング紙はそれが生物学的に分解可能であり、経済的であるという利点を提供する。不織布は精密かつ予測可能な製品特性を有する合成材料からなることができ、時間の特に精密かつ再現可能な測定が得られるという利点を提供する。
【００３７】
特に、不織布は例えば、少なくとも３０％、特に少なくとも５０％の十分に高い熱可塑性材料シェアによってヒートシール可能であり、および／または、例えば、ポリラクチド（ＰＬＡ）からなる生物学的に分解可能であり得る。紙はまた、例えば、それに含まれるか、またはそれに適用される、例えば、ポリラクチドからなる熱可塑性物質の手段によって、ヒートシール可能であり得る。ヒートシール可能な材料は熱、例えば、ホットラミネーション又は溶接、特に超音波溶接によって、それらの間に材料結合を形成する付加的な接着剤なしで接続することができる。
【００３８】
内側領域がヒートシール可能である場合、これは内側領域が追加の接着剤なしに外側領域との物質結合を形成するように接続されることができるという長所をもたらし、これは特に、搬送手段の高安定性、したがって信頼性のある計測を保証するために、食品産業における用途にとって問題となり得る。さらに、内側領域は広い面積、特に全面積にわたる物質結合の手段によって外側領域に固定することができ、その結果、外側領域に適用されるマーキングは、内側領域が液体との接点のために半透明である場合、内側領域を通して特に明確に認識可能である。
【００３９】
有利には、リザーバ領域、搬送領域、検出領域、及び特に抵抗要素も同じ構成を有し、及び／又は搬送手段は一体である。これらの実施形態は、時間測定装置の特に簡単な構造を可能にする。
【００４０】
有利には、搬送手段が液体を搬送するための内側領域と、少なくとも時間領域および検出領域において内側領域を取り囲む撥水性外側領域とを備える。有利には、外側領域が入口面を除くリザーバ領域においても内側領域を囲む。本発明によって意味される「撥水性」とは一方では典型的な貯蔵条件下、特に茶のための典型的な貯蔵条件下で、特に茶のための典型的な貯蔵期間中に、輸送に浸透する水分の量があまりにも多くないことを意味し、それは例えば、センサが搬送媒体中での貯蔵中に早期に吸収された水分によって引き起こされる液体を早期に検出するために、後続の時間測定が間違えられるほど大きい。他方では本発明によって意味される「撥水性」とは使用中に、典型的な使用期間、特に茶のための浸漬時間内に、時間測定を変える可能性がある液体の量が入口面を介する以外に搬送手段中に浸透しないことを意味する。したがって、外側領域のおかげで、特に信頼性のある時間測定が達成される。特に、外側領域のおかげで、偽陽性検出の危険なしに、高感度センサを使用することができる。
【００４１】
好ましくは外側領域が少なくとも１つの撥水性支持体、好ましくは搬送手段を補強するために、熱可塑性合成材料、特にポリラクチドでコーティングされた厚紙を含む。支持体は、非常に薄い内側領域を有していても、搬送手段に十分な機械的安定性を与えることができる。非常に薄い内側領域は、液体の移送が実質的に１つの平面内で行われ、したがって、特に信頼性の高い方法で予測可能であるため、有利である。また、薄い内側領域は例えば、内側領域と外側領域との間に、制御されない方法で液体搬送に影響を及ぼす可能性がある空気混入物を生じさせることなく、特に容易に撥水性の方法で封入することができる。
【００４２】
支持体の手段によって、搬送手段は例えば、飲用コップ内に直立して配置することができ、その結果、その中の液体の搬送を容易に読み取ることができ、搬送手段の開いた上縁部が液体に触れることはない。さらに、液体を撹拌するために、十分に堅い搬送手段を使用することもできる。
【００４３】
搬送手段は、内側領域と外側領域との間の連結部、例えば溶接継ぎ目及び／又は多数の点溶接部の手段とによって補強することができる。
【００４４】
搬送手段は側縁に基本的に並行な、少なくとも１つの屈曲部または折り目の手段によって補強することができる。
【００４５】
好ましくは支持体が弾性的に曲げ可能であり、その結果、支持体を損傷する危険性なしに、機械によって処理され、そして空間を節約する様式で保存され得、例えば、ティーバッグの周りで曲げられ、そして好ましくは単独でまっすぐな形での使用のために戻される。
【００４６】
支持体は少なくとも１つの画定された屈曲領域を有することができ、この屈曲領域において、支持体は、屈曲領域の外側よりも容易に屈曲することができる。これにより、支持体が例えば、充填された場合には例えば時間領域の外側にあり得る、主に屈折領域で曲がることが保証され、その結果、時間測定値は搬送領域の曲げによって歪まない。
【００４７】
少なくとも片面、好ましくは両面に熱可塑性合成材料で被覆する手段により、厚紙のような経済的で加工が容易で生物学的に分解可能な材料を撥水性に設計することができる。さらに、熱可塑性合成材料はヒートシール可能であり、その結果、適切にコーティングされた厚紙は、追加の接着剤なしで接続されて、時間測定装置の他の構成要素、または例えばティーバッグとの材料結合を形成することができる。
【００４８】
外側領域は、少なくとも１つの撥水性不織布を含むことができる。内側領域は、液体用の不織布吸収剤からなることができる。特に、搬送手段は例えば、２つの撥水層と、それらの間に配置された吸収性不織布の層とを有する多層不織布から成ることができる。
【００４９】
外側領域は、内側領域の少なくとも１つの表面含浸またはコーティングを含むことができる。例えば、スプレーによる表面の含浸はフィルムの使用と同様に表面を防水性にすることができるが、基本的にはフィルムの溶接よりも迅速かつ簡単に行うことができ、より少ない高価な機械しか必要としない。有利には、含浸またはコーティングが例えば、浴中への浸漬または噴霧によって、液体形態で適用される。
【００５０】
外側領域は少なくとも１つの撥水剤を含むことができ、少なくとも部分的には、好ましくは熱可塑性合成材料から作製された透明フィルムを含むことができる。外側領域は、ＤＥ１０２０１５１０８９２１Ａ１に記載されているコーティングのように設計することができる。ＤＥ１０２０１５１０８９２１Ａ１の対応するパラグラフ［００２２］〜［００３５］が参照によりここに含まれる。
【００５１】
外側領域は、内側領域から少なくとも空気を抽出するための少なくとも１つの空気出口を含むことができる。空気出口は、有利には搬送手段の入口面から遠い方の端部に配置されている。空気出口は、搬送手段内に封入された空気が入口面から検出領域への液体の均一な搬送を妨げるのを防止する。空気出口は、ガスを選択的に通過させ、液体を保持するフィルムで閉じることができる。これにより、空気出口を通って液体が入ったり出たりするのを防ぐことができ、例えば、空気出口の領域で時間測定装置を握るとユーザが指を濡らして時間測定が歪んだり、時間測定装置の取り扱いを損なう恐れがある。
【００５２】
外側領域は、内側領域と比較して熱的または化学的に改質することができる。例えば、吸収材からなる搬送手段は、熱処理によって密封されて、外側領域において撥水性にされることができる。
【００５３】
外側領域は少なくとも部分的に、特に表示手段領域において、半透明、特に透明とすることができる。少なくとも部分的に、半透明の外側領域の手段によって、搬送手段を保護することができ、表示手段が光学的に自由にアクセスすることができ、その結果、表示手段の明瞭で信頼性のある可読性が保証される。
【００５４】
時間測定装置は、リザーバ領域内への水分の浸透に対して入口面を一時的に閉鎖するための少なくとも１つの閉鎖デバイスを備えることができる。ここで、「一時的な」とは、特に、入口面が時間測定装置の保管中に閉じられ、時間測定装置の使用中に開かれることを意味する。このようにして、搬送手段は時間測定装置が使用されるまで湿気から保護されることができ、それによって、長期間の保管の後でさえ、信頼性のある時間測定が実現される。閉鎖デバイスは例えば、入口面を覆うフィルムを含むことができ、このフィルムは時間測定装置を使用する前に、例えば、それを引き裂くことによって除去することができる。
【００５５】
閉鎖デバイスは、有利には液体に可溶性である。これは、閉鎖デバイスを手動で開く必要がないので、時間測定装置の使用を簡単にする。閉鎖デバイスは例えば、液体中に溶解する材料、例えば、糖からなることができる。
【００５６】
特に、閉鎖デバイスは、最低温度より上でのみ液体に溶解することができる。最低温度は例えば、茶の最低浸漬温度と同じであってもよい。このようにして、ユーザは、例えば閉鎖デバイスにおいて、茶を抽出するためにユーザによって使用される水が十分に熱くないことを簡単な方法で検出することができる。閉鎖デバイスは例えば、茶浸漬時間を測定しようとする場合、使用に関連する時間スケール、例えば、１分または数分で最低温度を超えてのみ溶解するキャンディ砂糖を含むことができる。
【００５７】
特に好都合な実施形態では、搬送手段の後面は支持体によって形成され、搬送手段の前面はフィルムによって形成され、搬送手段の内側領域は支持体とフィルムとの間に配置される。この特に簡単な構造の３層複合系としての手段により、一方では搬送手段の良好な機械的安定性が保証され、他方では内側領域の良好な視認性が保証され、従ってフィルムを通る接触時間の良好な視認性が保証される。さらに、内側領域は、支持体およびフィルムによって撥水方法で囲まれ得る。
【００５８】
好ましくは、それぞれの場合において、支持体およびフィルムは搬送手段の側縁部において内側領域の上に突出部分を形成し、少なくとも支持体およびフィルムは撥水様式で側縁部において相互接続され、特に、材料結合を形成する。突出部分の助けを借りて、内側領域は側縁部において、特に簡単かつ確実に、撥水様式で取り囲まれることができる。
【００５９】
一実施形態では、支持体およびフィルムが突出部分なしに、側縁部で内側領域と面一に閉じることができる。この実施形態は支持体、フィルム、および内側領域が同じフォーマットを有することができ、したがって、例えば、予め製造された組み合わせシステムから一緒に切り出すことができるので、特に単純な製造を可能にする。しかしながら、この実施形態の欠点は、側縁部の撥水シールがより高価であることである。
【００６０】
内側領域および支持体は、好ましくは少なくとも部分的に相互接続されて、材料結合を形成する。これは、内側領域が液体との接触により半透明である場合、支持体に適用されるマーキングが内側領域を通して明確に判読可能であるように、内側領域が少なくとも検出領域において支持体上に載ることを確実にする。特に、これは、視認性を損なう可能性がある空気又は液体が内側領域と支持体との間に蓄積するのを防止する。
【００６１】
好ましくは表示手段がマーキング、特に着色マーキングを含み、マーキングは好ましくは内側領域の後面に面する内側領域の側および／または外側領域に塗布され、その結果、マーキングは内側領域の湿潤状態で、前面から内側領域を通して見ることができる。
【００６２】
好ましくは、マーキングが撥水材料、特に支持体の撥水性フィルムおよび／または撥水コーティングによって内側領域から分離される。これは、液体がマーキングと直接接触しないことを確実にし、したがって、例えばマーキングからの染料による液体の汚染が排除される。特に、液体が食品、例えば茶である場合、汚染の排除が特に重要である。
【００６３】
マーキングは例えば、支持体に撥水性コーティングを施す前または後に、支持体上に印刷することができる。
【００６４】
時間測定装置は、リザーバ領域から検出領域まで多数の異なる移送持続時間内で液体を搬送するための多数のチャネルを備えることができる。多数のチャネルの手段により、異なった接触時間の終わりを、単一の時間測定装置、特に単一のセンサで検出することができる。このようにして、例えば、異なる茶および／または異なる注入グレードに対する理想的な浸漬時間を、それぞれの場合に検出することができる。
【００６５】
チャネルは、リザーバ領域から関連するチャネルへの液体の最大限の流れによって互いに異なった抵抗要素の手段によって、リザーバ領域と液体伝導様式で接続され得る。このようにして、チャネルを通る流れ、したがって、それぞれの場合における移送持続時間を調整することができる。
【００６６】
チャネルは、リザーバ領域から検出領域への流れに対して、異なる長さおよび／または流れ抵抗の経路を有することができる。このようにして、チャネルを通る移送持続時間は、それぞれの場合に調整することができる。
【００６７】
チャネルはリザーバ領域から検出領域への液体の搬送に逆らってチャネルを一時的に閉鎖するためのいくつかの閉鎖デバイスを有することができ、閉鎖デバイスは特に液体に可溶であることができる。特に、閉鎖デバイスは、異なる温度で可溶性であり得、その結果、異なる移送持続時間を有するチャネルが温度に従って放出される。このようにして、例えば、液体の温度に応じて、長さの異なる接触持続時間の終わりを検出して、例えば、注入水の温度に応じて、長さの異なる理想的な浸漬時間の終わりを検出することができる。
【００６８】
チャネルは液体を導くために、複数のリザーバ領域に接続することができ、これらのリザーバ領域は、特に好ましくはいずれの場合にも、水分による浸透に対して関連するリザーバ領域の入口面を一時的に閉鎖するための閉鎖デバイスを備える。異なる閉鎖デバイスを有するリザーバ領域と接続することによって、チャネル上の異なる閉鎖デバイスについて、前の段落で説明したのと同じ効果を達成することができる。
【００６９】
少なくとも１つのセンサおよび少なくとも１つの表示手段は、搬送装置上および／または搬送装置内に配置された少なくとも１つの染料によって形成することができる。染料は例えば、時間領域に配置することができ、液体によって検出領域に運ぶことができる。染料は例えば、液体との接触によって色を変えることができる。したがって、液体は搬送手段を通って搬送される場合、その経路上で染料と共に染料を取り、および／または、例えば液体のｐＨ値によって染料の色を変化させることができる。いずれのケースにおいても、ユーザは、染料を使用して、搬送手段内の液体の進路を良好に見ることができる。特に、染料は、ＤＥ１０２０１５１０８９２１Ａ１に記載されているように設計することができる。ＤＥ１０２０１５１０８９２１Ａ１の対応するパラグラフ［００３６］〜［００５２］は参照によりここに含まれる。
【００７０】
特定の接触持続時間の後に、その色を変化させるか、または液体との接触によって見えるようになるだけの染料を使用することが考えられる。これらの染料は例えば、染料が設定温度（例えば、８０℃から開始する）または液体（例えば、茶の水）と接触すると活性化される。このような染料を用いて、例えば３分、４分または５分の接触持続時間の後に、染料が関連する書かれたマーキングの部位で液体と接触する場合にのみ目に見えるようになる、書かれたマーキング（例えば、「ｍｉｌｄ（穏やかな）」、「ＯＫ」および「ｓｔｒｏｎｇ（強い）」）を適用することができる。このため、ユーザは、所望の浸漬時間に既に到達したかどうかを理解することがより簡単になる。
【００７１】
ある接触持続時間（例えば、緑茶について２分）に達した場合にのみ、染料を可視化することが考えられる。これは、搬送手段を部分的に、とりわけ時系列で、不透明な物質で覆うか、または上塗りすることによって達成することができる。不透明材料は例えば、予め設定された時間後（例えば、緑茶について２分後）に液体が到達する点においてのみ透明であるフィルムを含むことができる。ユーザにとっての利点は、浸漬時間に達したときにのみ視覚的に通知されることである。これに先立って、注意散漫はない。
【００７２】
表示手段は少なくとも１つのマーキング、特に、例えばタイムスケールの形態の多数のマーキングを含むことができる。あるいは、または時間スケールを補完するために、茶の注入の程度に関連するスケール、例えば「ｍｉｌｄ（穏やかな）」‐「ｂａｌａｎｃｅｄ（バランスのとれた）」‐「ｓｔｒｏｎｇ（強い）」も有利に考えられる。少なくとも１つのマーキングの手段によって、ユーザは、接触時間または所与の接触時間の終わりを経路から直接的かつ単純に読み取ることができる。
【００７３】
少なくとも１つのマーキングは搬送手段に、特に搬送手段の外側領域に塗布することができる。マーキングが搬送装置に直接的に塗布される場合、ユーザは搬送手段に液体が移動する経路を、特に簡単かつ正確に、マーキングの位置と比較して、接触時間を読み取ることができる。
【００７４】
時間測定装置は、時間測定装置内の染料を抑制するための少なくとも１つの拘束手段を含むことができる。拘束手段によって、例えば食品法の下で問題となる、液体中への染料の漏出を防止することができる。拘束手段は例えば、搬送手段内の液体の搬送方向において検出領域の下流に配置された吸込リザーバを含むことができる。吸込リザーバは少なくとも時間測定装置の典型的な使用期間にわたって、入口面から搬送手段を通って吸込リザーバ内への液体搬送が常に存在し、場合によっては染料が溶解している液体が時間測定装置から逃げないことを保証する。拘束手段は搬送手段への染料の化学結合、および／または、入口面において、特に、また、吹出口において染料に対して不透過性のフィルムを含むことができる。
【００７５】
有利には、搬送手段、特に全時間測定装置は生分解性であり、好ましくは堆肥化可能である。「生物分解性」はＯＥＣＤ試験シリーズ３０２（Ａ‐Ｃ）の試験に従い、少なくとも限定された生分解性、好ましくはＯＥＣＤ試験シリーズ３０１（Ａ‐Ｆ）に従った好気性条件下での迅速かつ完全な分解を意味する。「コンポスト化可能」は、米国規格ＡＳＴＭ  Ｄ‐６４００に従って１８０日以内に少なくとも６０％の分解性、特に欧州規格ＥＮ  １３４３２に従って６ヶ月で少なくとも９０％のＣＯ２への転換を意味する。
【００７６】
生物学的分解性のおかげで、搬送手段は例えば、それに固定されたティーバッグと一緒に生物学的に分解され得る。生物学的分解性は例えば、紙および生物学的に分解可能な合成材料、例えばポリラクチドから、搬送手段、特に完全時間測定装置を製造することによって達成することができる。
【００７７】
少なくとも１つのセンサは、電子センサ、特に少なくとも１つの水分センサ、特に好ましくは液体と接触するための多数の電極を有するセンサ、および／または液体、染料、および／または染料の色変化を光学的に検出するための少なくとも１つの光学センサを含むことができる。電極は例えば、できるだけ簡単な時間測定装置の製造のために、搬送手段上に印刷することができる。光学センサは例えば、カメラ、特に、コンピュータデバイス、例えば、スマートフォンに一体化されたカメラであり得る。
【００７８】
電子センサの手段により、液体を特に正確に検出することができ、電子センサからの出力信号をさらに多くの異なった方法で処理することができる。特に、電子センサが、液体との接触で電子接触持続時間測定を開始する目的で設計されている場合、電子センサを備えた時間測定装置を、搬送手段がなくても形成することができる。
【００７９】
少なくとも１つの表示手段は、少なくとも１つの信号、好ましくは振動信号、音響信号、および／または光信号を出力するための少なくとも１つの電子信号出力装置を備えることができる。電子信号出力装置の手段によって、時間測定装置のユーザは、特にいくつかの感覚を介して、測定された接触持続時間または予め設定された接触持続時間の終わりを、特に明確に通知され得る。表示手段およびセンサは空間的に互いに分離されていてもよく、特に、例えば近距離無線通信（ＮＦＣ）またはブルートゥースを介してのみ通信可能に相互接続されていてもよい。表示手段は例えば、コンピュータデバイス、特にスマートフォンに組み込まれ得る。
【００８０】
時間測定装置は、少なくとも１つのセンサ及び／又は少なくとも１つの表示手段にエネルギーを供給するための、最も単純なケースでは外部エネルギー源のための連結部を有する少なくとも１つのエネルギー供給部を備えることができる。エネルギー供給部は、少なくとも、搬送手段上に印刷された、エネルギー源、例えば電池又は蓄電池、及び／又はエネルギー回収装置、例えばペルチェ素子又は光起電モジュールを含むことができる。エネルギー源を、殊にエネルギー回収装置と組合せることによって、エネルギー源は有利には外部エネルギー源から独立しており、その結果、時間測定装置はどこでも使用することができる。
【００８１】
時間測定装置はコンピュータデバイス、例えばスマートフォンと通信、特に無線通信するために、少なくとも１つのセンサと通信可能に接続された少なくとも１つの通信デバイスを備えることができる。通信デバイスは例えば、近距離通信および／またはＢｌｕｅｔｏｏｔｈ送受信機を含むことができる。有利には、通信デバイスの手段によって、例えば解析、記憶および／または表示のためのセンサ測定データをコンピュータデバイスに転送することができる。
【００８２】
時間測定装置は、センサによって計算されたデータ、センサから導出されたメタ情報、および／または基準データを記憶するための少なくとも１つのデータメモリを備えることができる。
【００８３】
時間測定装置は時間測定装置を識別するための少なくとも１つの識別手段を含むことができ、識別手段は、好ましくは英数字コード、バーコード、ＱＲコード、及び／又はＲＦＩＤトランスポンダーを含む。
【００８４】
時間測定装置は液体温度を表示するための少なくとも１つの温度ディスプレイを備えることができ、温度ディスプレイは、好ましくは液晶温度計を備える。温度ディスプレイの手段により、例えば、時間測定装置のユーザは、茶を調製するために注入水が適切な温度を有することを確認することができる。液晶温度計は柔軟性があり、特に平坦で、可動部分のない構造であるため、時間測定装置において簡単かつ経済的に統合することができるという利点がある。
【００８５】
前述の電子構成要素の手段によって、視覚知覚に加えて、さらなる感覚器官に対処することができる。とりわけ、他の感覚器官は、到達および／または所望の浸漬時間における音、振動および／または光によって対処することができる。電子構成要素は特に、搬送手段を完全に、または単に補完するだけで置き換えることができる。例えば、紙上、特に搬送手段上に、異なる印刷バージョンの伝導性トラックを適用することが可能である。この目的のために、電池、ＬＥＤ、マイクロコントローラ、無線チップ、センサ（特に水分センサ）およびラウドスピーカが存在し、これらは紙上に適用することができる。例えば、湿度センサを用いて、様々な経路長で搬送手段内の上昇液を測定し、次いで、例えば、経路長に応じて異なった色調を出力することができる。
【００８６】
いくつかの新しいオプションは、引用された電子拡張によって生成される。とりわけ、トーンを再生し、光信号および／または無線信号を（例えば、Ｂｌｕｅｔｏｏｔｈによって）コンピュータデバイス、特に携帯電話に出力することが可能である。次いで、この信号は非常に多種多様な機能を実行するために、例えば、アプリによって受信され得る。つまり、電子構成要素を組み込むことによって、浸漬時間が満たされる確率が高まる。
【００８７】
さらなる電子構成要素は、ＲＦｌＤチップであってもよい。このようにして、時間測定装置のカスタマイズが可能になる。例えば、トレーサビリティ及びカスタマリテンション（例えば、時間測定装置を用いて準備された、以前に消費された製品の管理）のための（例えば、シリアル番号としての）識別の曖昧でない手段を提供することもできる。
【００８８】
多数の、特にピラミッド状のティーバッグを製造するための本発明による濾紙ウェブは、本発明による時間測定装置が各ティーバッグについて濾紙ウェブ上に固定されることを特徴とする。時間測定装置を濾紙ウェブに適用することにより、特に濾紙ウェブからティーバッグを製造するプロセスを変更することなく、時間測定装置が適用されたティーバッグを特に簡単な方法で製造することができる。
【００８９】
このようなティーバッグは通常、ティーバッグ糸が適用された濾紙ウェブから既に製造されているので、濾紙ウェブはピラミッド状ティーバッグを製造するのに特に有利である。したがって、製造プロセスをさらに変更することなく、糸のみを時間測定装置に置き換えればよい。
【００９０】
時間測定装置の搬送手段の後面は、好ましくは少なくとも１つの下側固定具によって、搬送手段の下縁部付近で濾紙上に固定される。後面への固定は、前面への接触時間の読み取りがティーバッグによって妨げられないという利点を有する。
【００９１】
固定は例えば、材料結合、特にヒートシール接続を含むことができる。通常、ティーバッグ製造用の濾紙ウェブは、例えばポリラクチドから製造されるため、ヒートシール可能である。本発明において、搬送手段の後面は例えば、搬送手段の支持体の熱可塑性被覆によって、ヒートシール可能であってもよい。
【００９２】
好ましくは、少なくとも１つの固定具が搬送手段の下縁部の近くに設けられ、そこに液体のための入口面を配置することができる。これは、入口面がティーバッグと一緒に液体中に浸ることを確実にし、その結果、入口面がティーバッグと同時に液体と接触するようになり、したがって、時間測定装置とティーバッグの液体との接触持続時間の開始時間が同期される。
【００９３】
時間測定装置の搬送手段の後面は、好ましくは少なくとも１つの上側固定具によって、搬送手段の上縁部付近で濾紙ウェブ上に固定される。追加の上部固定はティーバッグへの濾紙ウェブの加工中、またはティーバッグのさらなる加工または輸送中に、搬送手段がティーバッグから除去されないことを確実にする。さらに、搬送手段は、ティーバッグの製造中に少なくとも２つの固定具によって、空間を節約する方法でティーバッグの周りに曲げることができる。
【００９４】
好ましくは、上側固定具がティーバッグのユーザによって解放され得るように、上側固定具が下側固定具よりも強くないように、例えば、穿孔され、および／またはより小さい接触表面を有するように設計される。このようにして、例えば、ティーバッグを使用し、浸漬時間を測定するために、上側及び下側の固定具によってティーバッグの周りに曲げられた搬送手段を、ティーバッグから片側で解放し、好ましくは搬送手段の弾性回復によって真っ直ぐに曲げることができる。搬送手段の直線状態では、浸漬時間を測定し、確実に読み取ることができる。さらに、搬送手段はティーバッグを保持するために使用することもでき、そのために、ティーバッグ糸が通常使用される。したがって、搬送手段はティーバッグ糸を交換することができ、それによってティーバッグの製造が単純化される。
【００９５】
濾紙ウェブは濾紙ウェブの中央折り畳み領域においてティーバッグを製造するために、濾紙ウェブの長軸の周りに折り畳むことができ、ここで、時間測定装置の搬送手段は、好ましくは濾紙ウェブ上の長軸に対して横方向に配置され、特に搬送手段の下縁部と中央折り畳み領域との間で、中央固定具によって濾紙ウェブに留められる。
【００９６】
搬送手段は、追加の中央固定具によってティーバッグ上に特に確実に保持される。中央固定具は、好ましくは上側固定具よりも強くなるように設計され、その結果、上側固定具のみがティーバッグのユーザによって解放される。次いで、残りの中央および下側固定具を、それに固定されたティーバッグと一緒に使用して、例えば、茶を撹拌することができる。
【００９７】
中央固定具は好ましくは、下側及び中央固定具が完成した製造済みティーバッグの同じ側面上にあるように、搬送手段の下縁部と中央折り畳み領域との間に配置され、その結果、搬送手段は、下側及び上側固定具によって回転又は曲げられない。
【００９８】
特にピラミッド形のティーバッグを備えた本発明による時間測定システムは、本発明による時間測定装置がティーバッグに固定されていることを特徴とする。時間測定装置の搬送手段の後面は、好ましくは少なくともティーバッグ上の搬送手段の下縁部付近の下側固定具によってティーバッグに固定される。これから、本発明による濾紙ウェブについて前述した利点および設計選択肢が生じる。さらに、搬送手段は濾紙ウェブについて記載したような１つ以上の追加の固定具によってティーバッグに固定することができ、それから、先に記載した利点およびデザインの選択肢が生じる。
【００９９】
本発明による時間測定システムは、本発明による少なくとも１つの時間測定装置を含む。時間測定装置は、液体および／または茶容器、好ましくはティーバッグ、ティーフィルターまたはティースティック用の容器、好ましくは飲用容器、および／または攪拌機、好ましくはスプーンに少なくとも部分的に組み込まれている。
【０１００】
有利には、例えば、電子センサ又は電子表示デバイスのような、何度も使用可能な時間測定装置の比較的高価な構成要素を、何度も使用可能な容器、例えば、ティーポット又はティーカップ、又は何度も使用可能な撹拌器に組み込むことができる。このようにして、時間測定システムを使用するためのコストを低減することができ、生産のための資源を節約することができる。
【０１０１】
有利には、時間測定装置が茶容器、特に標準的なティーバッグに固定することができる。これにより、測定された接触時間が茶浸漬時間と同じになるように、時間測定装置が茶容器と同時に注入水に浸漬されることが保証される。特に、時間測定装置はティーバッグ糸に取って代わることができる。このようにして、時間測定装置の適用は、ティーバッグの製造に特に容易に組み込むことができる。
【０１０２】
茶容器に固定された時間測定装置はティーバッグ糸と比較して、および／または、特に、入口開口部の近くで、バラストウェイトと比較して、増加した剛性を有することができる。増加した剛性の手段により、この時間測定装置は茶を撹拌するために有利に使用することができる。バラストウェイトは注入水が入口面を通って搬送手段に到達することができるように、入口面が注入水中に完全に浸ることを確実にする。
【０１０３】
茶容器は、茶容器のための絞り装置及び／又は保持装置を含むことができる。絞り装置、例えば、時間測定装置上の折り畳みフラップの手段によって、茶容器は浸漬時間の終わりに絞り、制御されない滴下なしに空にするか、または廃棄することができる。保持装置を、例えば、時間測定装置上に多数のフラップ及び／又はフックを備えることによって、茶容器を茶調製用容器内にしっかりと保持することができる。
【０１０４】
本発明による時間測定方法は、本発明による時間測定装置で実行され、少なくとも以下のステップを含む。ａ）前記時間測定装置の前記搬送媒体の前記リザーバ領域の前記入口面を接触開始時間に液体に接触させ、ｂ）移送持続時間内に搬送媒体の時間領域を通って搬送媒体の検出領域に液体を搬送し、ｃ）接触開始時間と相関する検出時間における検出領域内の液体を検出し、およびｄ）接触持続時間または接触時間から派生したメタ情報のアイテムを表示する。
【０１０５】
有利には、ステップが引用されたシーケンスで実行される。
【０１０６】
有利には、接触させることは直接的に、言い換えれば、特に、さらなる媒体、例えばティーバッグを介さずに、入口面と液体との間で行われ、その結果、さらなる媒体を通る液体の搬送によって引き起こされる制御不能な遅延が生じない。
【０１０７】
代替の実施形態では搬送が例えば、電子接触時間測定が開始される場合、接触開始時間における電子センサの接触によって除外され得る。
【０１０８】
有利には、検出時間が接触開始時間における移送持続時間による無視できる偏差まで追従する。
【０１０９】
メタ情報のアイテムは例えば、予め設定された接触持続時間の終了、例えば、理想的な茶浸漬時間である。接触持続時間に加えて、さらなる情報、例えば液体温度もメタ情報のアイテムに入力することができる。したがって、例えば、注入水の温度に応じて、茶のための別の理想的な浸漬時間の終了を表示することができる。
【０１１０】
検出する工程は光学的、好ましくは視覚的に、液によって引き起こされる、時間測定装置の搬送手段の内側領域の透光性の変化を検出することを含むことができる。特に、内側領域は液に触れることによって透明になることができ、その結果、搬送手段の後面に面する内側領域の側面に塗布されたマーキングは、搬送手段の前面から内側領域を通して見えるようになる。
【０１１１】
検出するステップは、液体、特に液体によって検出領域に輸送される染料の光学的、好ましくは視覚的検出、および／または液体によって引き起こされる検出領域に適用される染料の色変化を含むことができる。視覚的検出は特に、特に簡単に構成された時間測定装置を用いて、特に簡単に更なる補助なしに行うことができる。視覚検出は特に、ここで言及しているＤＥ１０２０１５１０８９２１Ａ１［００６１］から［００６６］の項で説明されているように起こりうる。
【０１１２】
検出するステップは、好ましくは水分センサを用いて、液体の電子検出を含むことができる。電子検出は高精度および信頼性の利点を提供し、また、検出信号のさらなる処理のための多くのオプションを開く。
【０１１３】
接触させるステップは、液体によるリザーバ領域内への水分の浸透に対して入口面を一時的に閉鎖するための閉鎖デバイスの開放を含むことができる。特に、開放は所定の温度、例えば、茶のための最低注入温度より上でのみ行うことができる。
【０１１４】
表示するステップは、少なくとも１つの信号、好ましくは振動信号、無線信号、音響信号および／または光信号の出力を含むことができる。無線信号は例えば、コンピュータデバイス、特にスマートフォンに、例えば、コンピュータデバイス上に接触持続時間を表示するために送信することができる。
【０１１５】
本発明による製造方法は、本発明による時間測定装置、特に本発明による時間測定システムを製造するために使用され、少なくとも以下のステップを含む。ａ）液体を移送するための内側領域のためのブランクを提供する工程ｂ）少なくともブランクの前面および前面と反対側の後面に、撥水性外側領域の一部分を塗布する工程ｃ）これにより、一部分は好ましくはそれぞれの場合において、ブランクの右側縁部及び右側縁部の反対側のブランクの左側縁部で、ブランクの上に突出部分を形成するｃ）好ましくは、一部分を互いに撥水接続するために、少なくとも突出部分を一緒に押圧する工程。
【０１１６】
有利には、ステップが引用されたシーケンスで実行される。
【０１１７】
ブランクは有利には帯の形態であり、その平面内に、均一な材料組成物または構造化された材料組成物を有することができる。例えば、ブランクは液体のための吸引可能な領域、特に帯を含むことができ、それぞれの場合において、内側領域と、外側領域の一部分を形成するための撥水領域、特に帯とを形成する。構造化された材料組成物の手段によって、さらなる製造法において、内側領域を取り囲む撥水性外側領域を特に容易に形成することができる。ブランクは例えば、少なくとも１つの不織布からなる。
【０１１８】
塗布される一部分は、それらの材料特性に関して、互いに同一であっても異なっていてもよい。例えば、一方の一部分は少なくとも部分的に透明であり、他方の一部分は不透明であり得る。一部分は、少なくとも１つの不織布を含むことができる。少なくとも部分的に透明な部分は、フィルムを含むことができる。
【０１１９】
特に、前面に塗布される一部分は少なくとも部分的に透明な撥水性フィルムを含むことができ、後面に適用される一部分は、搬送手段を強化するための撥水支持体を含むことができる。
【０１２０】
一部分が内側領域上に突出部分を形成しない本方法の実施形態では、本方法が好ましくはブランクの少なくとも右側および左側縁部で一部分を圧縮することを含む。
【０１２１】
圧縮の手段によって、一部分は有利にはそれらの間で、時間測定器の通常の使用期間中に、時間測定に影響を及ぼす可能性のある液の量が内側領域に浸透しないように、密接に一緒にされる。したがって、ブランクが、一部分が圧縮されている場合には撥水性であることが特に有利である。
【０１２２】
圧縮は互いに、好ましくはブランクを有する少なくとも１つの一部分の、溶接、特に超音波溶接、および／または積層、特にホットラミネーションまたはヒートシールを含むことができる。溶接または積層の手段によって、確立された方法で、追加の構成要素、例えば接着剤なしで、撥水性かつ永久的な連結を達成することができる。超音波溶接は、溶接の環境においてわずかな熱負荷しか生じず、比較的厚い組み合わせシステムでさえも、それらの全厚さにわたって溶接することができるという特別な利点を提供する。
【０１２３】
超音波溶接の手段によって、一部分を内側領域に固定する固定点の模様を作ることができる。固定点の濃度および分配、例えば、内側領域内の液の流れの手段によって、内側領域を通るマーキングの視認性および／または搬送手段の機械的剛性を局所的に制御することができる。さらに、このような模様は、偽造に対する搬送手段の安全性のための機能を表すことができる。
【０１２４】
例えば、高流量と高柔軟性を保証するために、搬送手段のリザーバ領域と屈折領域に低密度の固定点を規定することができる。しかし、一方では正確な読みやすさを保証し、他方では内側領域と外側領域との密接な接触を達成し、従って内側領域を通る外側領域上のマーキングの良好な検出可能性を達成するために、検出領域において高数の点を規定することができる。
【０１２５】
ヒートシールまたはホットラミネートは、それによって、大きな表面がその全面積にわたって迅速かつ経済的に接続され得るという利点を提供する。
【０１２６】
圧縮は特に偽造に対する安全性を向上させるために、搬送手段にインフォメーションのアイテム、特にマーキングまたは識別手段のインプリントを含むことができる。インプリントは情報を適用するために、方法に対する追加の工程も追加の染料も必要とされないという利点をもたらす。
【０１２７】
製造方法は、特に溶接部、例えば超音波溶接の手段によって、搬送手段を茶容器に連結することを含むことができる。茶容器は、有利にはティーバッグ、特にピラミッド型ティーバッグである。
【０１２８】
製造方法は好ましくは第２の部分を塗布する前に、ブランクに染料を塗布することを含むことができる。
【０１２９】
製造方法は特に圧縮後に、搬送手段を切断することを含むことができる。圧縮後にのみ搬送手段を切断することにより、多数の搬送手段を前の工程で並行して調製することができ、その結果、特に迅速かつ経済的な製造ができる。
【図面の簡単な説明】
【０１３０】
本発明のさらなる利点、目的、および特性は以下の説明および添付の図面を使用して説明され、添付の図面では例として、本発明の実施形態が例示される。図面において、それらの機能に関して少なくとも基本的に一致する特徴はこの目的のために、同一の参照番号でマークされ得、これらの特徴は、全ての図面において番号付けされ、説明される必要はない。
【０１３１】
【図１】本発明による時間測定システムの概略図である。
【図２】本発明によるさらなる時間測定システムの概略図である。
【図３】本発明による時間測定装置の概略図である。
【図４】本発明によるさらなる時間測定システムの概略図である。
【図５】本発明による製造方法の概略図である。
【図６】本発明によるさらなる製造方法の概略図である。
【図７】本発明による濾紙ウェブの概略図である。
【発明を実施するための形態】
【０１３２】
図１
図１は、本発明による時間測定システム４００の概略図を示す。図示されている時間測定システム４００は、ティーバッグ４２０と、それに例えば溶接される本発明による時間測定装置１００とを備えている。時間測定装置１００は液体のための搬送手段  １２０を備え、これは液体のための少なくとも１つの入口面１２４を有するリザーバ領域１２１と、時間領域１２３と、検出領域１２２とを備える。搬送手段  １２０は、液体を搬送するための内側領域１２６、例えば、吸収紙又は不織布の帯、及び撥水性外側領域（図示せず）、例えば、フィルム又は撥水性不織布を含む。外側領域は入口面１２４に、液体のための少なくとも１つの開口部を含むことができる。内側領域１２６上には、例えば、センサ及び表示手段を形成する染料１８１が塗布される。
【０１３３】
時間測定システム４００が、例えば茶を抽出するための温水のような液体に入口面１２４と共に浸漬される場合、液体は入口面１２４を通って内側領域１２６に浸透することができ、内側領域１２６内の毛管力によって、リザーバ領域１２１から時間領域１２３を通って検出領域１２２に搬送される。同時に、染料１８１は、液体によって運ばれることができる。検出領域１２２は、多数の、例えば３つのマーキング３００（「ＭＩＬＤ（穏やかな）」、「ＢＡＬＡＮＣＥＤ（バランスのとれた）」、「ＳＴＲＯＮＧ（強い）」）を含む。染料１８１を有する液体がマーキング３００に到達した場合、ユーザはこれから、例えば、関連するマーキング３００によって表される茶の注入の程度に対応する液体との接触時間が経過したことを検出することができる。
【０１３４】
リザーバ領域１２１から時間領域１２３への液体の経路には、流れを制限するために、抵抗要素１６０、例えば、減少した流れ断面を配置することができる。
【０１３５】
搬送手段１２０の外側領域の一部分は例えば、特に耐液性の厚紙から作られた支持体１４３を含むことができ、特にこれを介して茶容器４２０に接続される。時間測定システム４００は、特に支持体１４３の折り畳みフラップとして形成された、ティーバッグ４２０のための圧搾装置４２１を含むことができる。
【０１３６】
図２
図２は、本発明によるさらなる時間測定システム４００の概略図を示す。この場合、本発明による時間測定装置１００は、容器４１０、特にティーマグの側壁に適用される。さらに、容器４１０はティーバッグ４２０を含むことができる。
【０１３７】
図３
図３は本発明による時間測定装置１００の概略図を示し、この装置は使用のために、容器４１０、例えば、ティーポット内の液体（図示せず）、例えば、熱い注入水中に、多数の、例えば、２つのティーバッグ４２０と共に浸漬される。
【０１３８】
図４
図４は、特にその上側が開いているティーバッグ４２０と、それに適用される本発明による時間測定装置（図示せず）とを有する、本発明によるさらなる時間測定システム４００の概略図を示す。ティーバッグ４２０はティーバッグ４２０を、例えばティーカップ（図示せず）に固定するための、例えば、厚紙フラップを折り畳む、多数の、例えば、２つの保持装置４２２を備える。
【０１３９】
図５
図５は、本発明による時間測定装置１００のための本発明による製造方法６００の概略図を示す。製造方法６００は、液体を搬送するための内側領域のためのブランク１２７、例えば平面の形態の吸収性不織布の準備６１０を含む。
【０１４０】
準備６１０の後、少なくともブランク１２７の前面１３０及び前面１３０の反対側の後面１３１上に、撥水性外側領域１４０、例えば撥水性不織布の一部分１４２の塗布６２０が行われる。
【０１４１】
塗布６２０の後、前面１３０と後面１３１との間の内側領域１２６の右側縁部１３２および右側縁部１３２と反対側の内側領域１２６の左側縁部１３３において、圧縮６３０（矢印で表される）、例えば超音波溶接が一部分１４２で行われる。
【０１４２】
図６
図６は、本発明による時間測定装置１００のための、本発明によるさらなる製造方法６００の概略図を示す。製造方法６００は支持体１４３、例えば、熱可塑性材料、特にポリラクチド、でコーティングされ、特に１ｍｍ〜２ｍｍの厚さを有する厚紙ウェブ上に、多数のマーキング３００、例えば、タイムスケールを印刷すること６０１を含み、好ましくは、多数のマーキングが互いに平行に支持体１４３上に印刷される。
【０１４３】
印刷６０１の後、搬送手段１００の内側領域１２６のためのブランク１２７、例えば、特に２５μｍ〜５０μｍの厚さを有する吸収性紙の帯が、マーキング３００の各々上に塗布６２０される。さらに、ブランク１２７上に、少なくとも部分的に透明な、例えばポリラクチドから作られた、特に５０μｍ〜１００μｍの厚さを有する撥水性フィルム１４４の塗布６２０が行われる。
【０１４４】
ブランク１２７およびフィルム１４４の塗布６２０は、フィルム１４４および支持体１４３がブランク１２７の少なくとも右側縁部１３２および左側縁部１３３のそれぞれにおいて、ブランク１２７の上に突出部分１４５を形成するようになされることが好ましい。
【０１４５】
塗布６２０の後、方法６００は支持体１４３とフィルム１４４との撥水接続のために、少なくとも突出部分１４５の圧縮６３０を含む。圧縮部６３０は例えば、超音波溶接を含むことができる。
【０１４６】
圧縮６３０の後、支持体１４３、内側領域１２６及びフィルム１４４が結合されたシステムの、個々の搬送手段１２０への分離６４０が例えば結合されたシステムを切断することによって行われ、これは特に、それぞれ完全な時間測定装置１００を形成することができる。
【０１４７】
特に、分離６４０は内側領域１２６が少なくとも部分的に、少なくとも関連する搬送手段１２０の下縁部１３５、特に、上縁部１３４にも自由にアクセス可能であるように行うことができる。
【０１４８】
図７
図７は、ティーバッグ４２０を大量生産するための、例えばポリラクチドから作られた本発明による濾紙ウェブ４１９の概略図を示す。濾紙ウェブ４１９には、ティーバッグ４２０毎に時間測定装置１００が固定されており、時間測定装置１００の搬送手段１２０の後面は例えば熱可塑性材料でコーティングすることができ、少なくとも１つの下側固定具４１８、例えば超音波溶接によって、搬送手段１２０の下縁部１３５付近で濾紙ウェブ４１９に固定されている。
【０１４９】
時間測定装置１００の搬送手段１２０の後面１３１は、好ましくは少なくとも１つの上側固定具４１７、例えば超音波溶接によって、搬送手段１２０の上縁部１３４付近で濾紙ウェブ４１９上に固定される。
【０１５０】
ティーバッグ４２０を製造するための濾紙ウェブ４１９は濾紙ウェブ４１９の中央折り畳み領域４１５において濾紙ウェブ４１９の長軸の周りに折り畳むことができ、この場合、時間測定装置１００の搬送手段１２０は、好ましくは濾紙ウェブ４１９上の長軸に対して横方向に配置され、搬送手段１２０の下縁部１３５と中央折り畳み領域４１５との間の中央固定具４１６、例えば超音波溶接によって濾紙ウェブに固定される。
【符号の説明】
【０１５１】
１００  時間測定装置
１２０  搬送手段
１２１  リザーバ領域
１２２  検出領域
１２３  時間領域
１２４  入口面
１２６  内側領域
１２７  ブランク
１３０  前面
１３１  後面
１３２  右側縁部
１３３  左側縁部
１３４  上縁部
１３５  下縁部
１４０  外側領域
１４２  一部分
１４３  支持体
１４４  フィルム
１４５  突出部分
１６０  抵抗要素
１８１  染料
３００  マーキング
４００  時間計測システム
４１０  容器
４１５  折り畳み領域
４１６  中央固定具
４１７  上側固定具
４１８  下側固定具
４１９  濾紙ウェブ
４２０  ティーバッグ
４２１  圧搾装置
４２２  保持装置
６００  製造方法
６０１  印刷
６１０  準備
６２０  塗布
６３０  圧縮
６４０  分離
【図１】
2021519921.tif 000003
【図２】
2021519921.tif 000004
【図３】
2021519921.tif 000005
【図４】
2021519921.tif 000006
【図５】
2021519921.tif 000007
【図６】
2021519921.tif 000008
【図７】
2021519921.tif 000009
【国際調査報告】
2021519921.tif 000010
2021519921.tif 000011
2021519921.tif 000012
2021519921.tif 000013
2021519921.tif 000014